(57)【要約】【課題】鋳造部品１、１が、鋳造後の工程で変形する事を低減する。【解決手段】溶湯の流路が凝固した部分２（湯口３、湯道４、堰５、５、押湯６、６）により複数の鋳造部品１、１が連結された状態の方案（鋳造成形品）７を、鋳造用砂型から取り出した後、この方案７からこれら各鋳造部品１、１を分離させる事なくこの方案７のままショットブラスト処理を施す。このショットブラスト処理は、この方案７をハンガーに吊るした状態で施す。そして、このショットブラスト処理によりこの方案７から砂を落としてから、前記流路が凝固した部分２（３〜６）のうちで前記各鋳造部品１、１との各連結部（堰５）を同時に折断し、前記方案７からこれら各鋳造部品１、１を分離させる。【選択図】図１
2010240685.tif 000002
【特許請求の範囲】
【請求項１】
ディスクブレーキ用鋳造部品の製造方法であって、溶湯の流路が凝固した部分により複数の鋳造部品が連結された状態の方案を鋳造用砂型から取り出した後に、ショットブラスト処理を、この方案から前記各鋳造部品を分離させる事なく、この方案をハンガーに吊るした状態で、この方案のまま施す事により、この方案から砂を落とし、次いで、前記流路が凝固した部分のうちで前記各鋳造部品との各連結部を同時に折断し、前記方案からこれら各鋳造部品を分離させる、ディスクブレーキ用鋳造部品の製造方法。
【請求項２】
１個のハンガーに複数の方案を吊るした状態でショットブラスト処理を施す、請求項１に記載したディスクブレーキ用鋳造部品の製造方法。
【請求項３】
ロータにパッドを押し付ける事により制動力を付与するディスクブレーキを構成する為のディスクブレーキ用鋳造部品の製造装置であって、鋳造用砂型から取り出された、溶湯の流路が凝固した部分により複数の鋳造部品が連結された状態の方案を吊るすハンガーと、このハンガーにこの方案を吊るす為の吊り上げ装置と、このハンガーに吊るされた方案から砂を落とすショットブラスト装置と、この砂を落とした方案を前記ハンガーから外す為の取り外し装置と、前記流路が凝固した部分のうちで前記各鋳造部品との各連続部を同時に折断する事により、前記方案からこれら各鋳造部品を分離させる分離装置と、循環式のハンガーレールに沿って前記ハンガーを、前記吊り上げ装置と、前記ショットブラスト装置と、前記取り外し装置とを経由して、再びこの吊り上げ装置に搬送する搬送装置とを備えた、ディスクブレーキ用鋳造部品の製造装置。
【請求項４】
１個のハンガーに複数の方案を、鉛直方向の軸を中心とする円周方向に隣接する状態で支持可能とすると共に、前記ハンガーをハンガーレールに、前記鉛直方向の軸を中心とする回転を可能に支持した、請求項３に記載したディスクブレーキ用鋳造部品の製造装置。
【請求項５】
ハンガーの進行方向に関し、少なくとも吊り上げ装置よりも先からショットブラスト装置の出口までを、方案に付着した砂の飛散を制限する為の仕切部材により仕切った、請求項３〜４に記載したディスクブレーキ用鋳造部品の製造装置。
【請求項６】
ハンガーは、鉛直方向に配置される中心軸部と、この中心軸部の中間部の円周方向等間隔４個所位置に、径方向に突出する状態でそれぞれ設けた支持軸部と、これら各支持軸部の先端部に設けられて、前記中心軸部を中心とする仮想円の接線方向にそれぞれ伸びる水平軸部と、これら各水平軸部に設けられて、前記方案のうちで前記鋳造部品から外れた部分を係止する係止腕とを備えたものである、請求項３〜５に記載したディスクブレーキ用鋳造部品の製造装置。
【発明の詳細な説明】
【技術分野】
【０００１】
この発明は、例えば自動車の制動を行なう為に使用するディスクブレーキを構成するディスクブレーキ用鋳造部品（例えば、キャリパやサポート）の製造方法及び製造装置の改良に関する。より具体的には、キャリパやサポート等の鋳造部品が、鋳造後の工程で変形する事を低減し、この鋳造部品の品質を十分に確保する事と、この鋳造部品に付着した砂を安定して効率良く（ムラなく）落とす事と、この鋳造部品の製造に携わる作業者の負担の低減を図る事とを意図するものである。
【背景技術】
【０００２】
自動車の制動を行う為に、ディスクブレーキが広く使用されている。ディスクブレーキによる制動時には、車輪と共に回転するロータの軸方向両側に配置された一対のパッドを、ピストンによりこのロータの両側面に押し付ける。この様なディスクブレーキとして従来から、各種構造のもの、例えば、フローティングキャリパ型のものや対向ピストン型のものが知られている。又、この様なディスクブレーキを構成するキャリパやサポートを、例えば鋳鉄等の鉄系合金やアルミニウム合金等の鋳造により形成する事が、例えば特許文献１〜４に記載される等により、従来から知られている。
【０００３】
又、この様にキャリパやサポートを鋳造により形成する場合に、１個の砂型で、複数の鋳造部品（キャリパ、サポート）を同時に鋳造（形成）する事が行われている。即ち、これら各鋳造部品を形成する為の空間（キャビティ）を、溶湯（鋳造に使用する溶融金属）の流路（湯口、湯道、堰、押湯）となる空間で互いに通じさせた砂型を形成する。そして、この様な砂型の空間内に前記溶湯を流し込み、この溶湯の流路が凝固した部分により前記各鋳造部品が不分離に連結された状態の方案（鋳造成形品）を形成してから、この方案を砂型から取り出し、この方案から前記各鋳造部品を分離させる事により、これら各鋳造部品を製造する事が行われている。
【０００４】
ところで、この様な各鋳造部品を分離させる作業を従来は、前記各鋳造部品にハンマーで衝撃を与える事により、或は、回転するドラム内で複数の方案を互いに衝突させ合う事により行っていた。即ち、前記溶湯の流路が凝固した部分のうち、前記各鋳造部品同士を連結する部分（堰）を、上述の様なハンマーの衝撃や方案同士の衝突に基づいて破断させ、前記各鋳造部品同士を分離させていた。但し、この様な分離作業を行うと、前記衝撃や衝突に伴ってこれら各鋳造部品の表面に凹部（打痕）が形成されたり、これら各鋳造部品が変形する等の損傷を生じる可能性がある為、好ましくない。又、例えば前記ドラムを用いて分離を行う場合には、鋳造（形成）される順に各方案の順番を管理できても、これら各方案から各鋳造部品を分離させた状態でこの順番が乱れ（先入れ先出しが乱れ）、製造管理が面倒になる可能性もある。
【０００５】
又、上述の様なハンマーにより各鋳造部品を分離させる作業や、或は、例えば特許文献５等に記載されている様な堰折装置を用いて各鋳造部品を分離させる作業は、これら各鋳造部品が砂型から取り出された後、これら各鋳造部品にこの砂型の砂が付着した状態のまま行われる。この為、分離作業を行う作業者は、この砂型の砂が舞うと言った厳しい環境の中で、ハンマーの打ち降ろしや堰折装置の操作を行わなければならない。又、前記ドラムにより分離作業を行う場合には、同じく砂が舞うと言った環境の中で、前記方案や前記各鋳造部品の取り入れ取り出しを行う必要がある等、作業者に負担（粉塵、重筋、騒音の三重苦）になる可能性ある。尚、例えば特許文献６〜７に記載された様な、ロボットアームに堰折装置を取り付けた自動堰折装置を用いて分離作業を行う事も考えられる。この様な自動堰折装置を用いれば、作業者の負担の低減を図れるが、装置自体のコストが嵩む他、分離させる個所が多い場合にその作業時間が長くなる（分離作業を迅速に行えない）可能性がある等、好ましくない。
【０００６】
又、上述の様に砂型により鋳造（形成）される各鋳造部品は、その表面に付着している砂を落とす（除去する）必要がある。そして、この様な砂を落とす作業として、例えば鋼球等の研掃材（投射材、メディア）を前記各鋳造部品の表面に衝突させる事によりこの表面に付着した砂を落とす、ショットブラスト処理を施す事が考えられる。但し、例えば前記各鋳造部品の表面は入り組んだ形状をしており、単に分離後の前記各鋳造部品にショットブラスト処理を施すだけでは、前記表面に付着した砂を安定して効率良く（ムラなく）落とせない可能性がある。
【先行技術文献】
【特許文献】
【０００７】
【特許文献１】特開２００９−３０８０２号公報
【特許文献２】特開２００８−３０９１８１号公報
【特許文献３】特開２００５−１６３８０８号公報
【特許文献４】特開２００１−１２４１１７号公報
【特許文献５】特開平７−２９９５５８号公報
【特許文献６】特開２０００−２２５４５９号公報
【特許文献７】特開２００２−２６３８２６号公報
【発明の概要】
【発明が解決しようとする課題】
【０００８】
本発明のディスクブレーキ用鋳造部品の製造方法及び製造装置は、上述の様な事情に鑑みて、キャリパやサポート等のディスクブレーキ用鋳造部品が、鋳造後の工程で変形する事を低減し、この鋳造部品の品質を十分に確保すると共に、この鋳造部品の表面に付着した砂を落とす作業の効率化、安定化を図り、更には、この鋳造部品の製造に携わる作業者の負担の低減を図るべく発明したものである。
【課題を解決するための手段】
【０００９】
本発明の製造方法及び製造装置により造られるディスクブレーキ用鋳造部品は、ロータにパッドを押し付ける事により制動力を付与するディスクブレーキを構成する為のものである。この様なディスクブレーキ用鋳造部品としては、車輪と共に回転するロータを跨ぐ状態で配置されるキャリパや、このロータに隣接して車体に固定されるサポートが挙げられる。
特に、請求項１に記載した本発明のディスクブレーキ用鋳造部品の製造方法に於いては、溶湯（鋳造に使用する、例えば鋳鉄等の鉄系合金やアルミニウム合金等の、溶融金属）の流路が凝固した部分（湯口、湯道、堰、押湯）により複数（例えば２〜１０個）の鋳造部品が連結された状態の（各部が未分離のまま一体である）方案（鋳造成形品）を鋳造用砂型から取り出した後、ショットブラスト処理を施す。即ち、このショットブラスト処理を、この方案からこれら各鋳造部品を分離させる事なくこの方案のまま、この方案をハンガーに吊るした状態で施す事により、この方案から砂を落とす。尚、このショットブラスト処理は、例えば鋼球等の研掃材（投射材、メディア）を、前記各鋳造部品を含んで構成される前記方案の表面に衝突させる事により、この表面に付着した砂を落とす表面処理を言う。そして、この様なショットブラスト処理を施す事により、前記方案から砂を落としたならば、次いで、前記流路が凝固した部分のうちで前記各鋳造部品との各連結部（堰）を同時に折断し、前記方案からこれら各鋳造部品を分離させる。尚、この方案の形状（例えば、各鋳造部品同士を連結する湯道、堰等の大きさ、断面形状、各鋳造部品の位置関係等）は、例えばショットブラスト処理を行うべく前記ハンガーに吊るした状態でも、前記各鋳造部品が連結したままの状態を維持でき、且つ、折断作業の際には各連結部を容易に折断できる様に設計する。
【００１０】
又、この様な本発明のディスクブレーキ用鋳造部品の製造方法を実施する場合により好ましくは、請求項２に記載した発明の様に、１個のハンガーに複数（例えば２〜８個、好ましくは４個）の方案を吊るした状態でショットブラスト処理を施す。
【００１１】
又、請求項３に記載した本発明のディスクブレーキ用鋳造部品の製造装置に於いては、ハンガーと、吊り上げ装置（吊り上げ負荷軽減装置）と、ショットブラスト装置と、取り外し装置（取り外し負荷軽減装置）と、分離装置（堰折装置）と、搬送装置とを備える。
このうちのハンガーは、鋳造用砂型から取り出された、溶湯の流路が凝固した部分（湯口、湯道、堰、押湯）により複数の鋳造部品が連結された状態の方案（鋳造成形品）を吊るすものである。
又、前記吊り上げ装置（吊り上げ負荷軽減装置）は、前記ハンガーに前記方案を吊るす為のものである。
又、前記ショットブラスト装置は、前記ハンガーに吊るされた方案から砂を落とすものである。
又、前記取り外し装置（取り外し負荷軽減装置）は、前記砂を落とした方案を、前記ハンガーから外す為のものである。
又、前記分離装置（堰折装置）は、前記流路が凝固した部分のうちで前記各鋳造部品との各連続部（堰）を同時に折断する事により、前記方案からこれら各鋳造部品を分離させるものである。この様な分離装置としては、例えば、プレス装置のラムの下面に固定した押型と、固定テーブルの上面に固定した受型との間で、前記方案の要部（堰の中間部）を上下方向に折り曲げて各部を折断する、堰折装置を使用できる。
更に、前記搬送装置は、循環式（環状、閉ループ状）のハンガーレールに沿って前記ハンガーを、前記吊り上げ装置と、前記ショットブラスト装置と、前記取り外し装置とを経由して、再びこの吊り上げ装置に搬送するものである。
【００１２】
又、この様な本発明のディスクブレーキ用鋳造部品の製造装置を実施する場合により好ましくは、請求項４に記載した発明の様に、１個のハンガーに複数（例えば２〜８個、好ましくは４個）の方案を、鉛直方向の軸を中心とする円周方向に隣接する状態で（例えば円周方向４個所位置に）支持可能とする。又、これと共に、前記ハンガーをハンガーレールに、前記鉛直方向の軸を中心とする回転を可能に支持する。又、必要に応じて、このハンガーレールのうちで、前記吊り上げ装置及び前記取り外し装置に対応する位置にそれぞれ、前記ハンガーを鉛直方向の軸を中心に回転させると共に、所望の位置でこのハンガーの回転を止める事のできる回転駆動装置を設ける。
又、請求項５に記載した発明の様に、ハンガーの進行方向に関し、少なくとも吊り上げ装置よりも先からショットブラスト装置の出口までを、方案に付着した砂の飛散を制限する為の仕切部材（例えば仕切板や仕切りカーテン）により仕切る。
又、請求項６に記載した発明の様に、ハンガーを、鉛直方向に配置される中心軸部と、この中心軸部の中間部の円周方向等間隔４個所位置（９０度ずつ離隔した位置）に、径方向に突出する状態でそれぞれ設けた支持軸部と、これら各支持軸部の先端部に設けられて、前記中心軸部を中心とする仮想円の接線方向に伸びる水平軸部と、これら各水平軸部に設けられて、前記方案のうちで前記鋳造部品から外れた部分を係止する係止腕とを備えたものとする。又、必要に応じて、前記水平軸部にアタッチメントを装着し、例えば溶湯が十分に行渡らずに所望の方案が得られない（各鋳造部品や流路が凝固した部分に欠損が生じた）場合でも、この方案をハンガーに吊るせる様にする。
【発明の効果】
【００１３】
上述の様に構成する本発明のディスクブレーキ用鋳造部品の製造方法及び製造装置によれば、キャリパやサポート等のディスクブレーキ用鋳造部品が、鋳造後の工程で変形する事を低減でき、この鋳造部品の品質を十分に確保できる。又、これと共に、この鋳造部品の表面に付着した砂を落とす作業の効率化、安定化を図れ、更には、この鋳造部品の製造に携わる作業者の負担の低減も図れる。
即ち、請求項１に記載した本発明の製造方法の場合には、方案（鋳造成形品）から各鋳造部品を分離させる事なくこの方案のままショットブラスト処理を、この方案をハンガーに吊るした状態で施す為、この方案に研掃材（投射材、メディア）を効率良く衝突させる事ができる。この為、前記各鋳造部品を含んで構成される前記方案に付着した砂を、安定して効率良く（ムラなく）落とせる。又、この様に方案のままショットブラスト処理を施してから前記各鋳造部品を分離させる為、砂が舞うと言った環境の中でこの分離作業を行わなくて済み、製造に携わる作業者の負担の低減を図れる。又、前記方案から前記各鋳造部品を分離させる作業を、前記流路が凝固した部分のうちで前記各鋳造部品との各連続部を同時に折断する事により行う。この様な作業は、前記方案を構成する各鋳造部品に力を、前記連結部が折れる方向に緩徐に加える事により行える。この為、この様な作業の際に、前記各鋳造部品が変形する事を低減でき、この鋳造部品の品質を高度に確保できる。
又、請求項２に記載した発明の様に、１個のハンガーに複数の方案を吊るした状態でショットブラスト処理を施せば、砂を落とす作業の更なる効率化、安定化を図れる。
【００１４】
又、請求項３に記載した本発明の製造装置の場合には、ショットブラスト装置によりショットブラスト処理を、方案（鋳造成形品）から各鋳造部品を分離させる事なく、この方案をハンガーに吊るした状態で行う為、この方案に研掃材（投射材、メディア）を効率良く衝突させる事ができる。この為、前記各鋳造部品を含んで構成される方案に付着した砂を、安定して効率良く（ムラなく）落とせる。又、この様に方案のままショットブラスト処理を施してから、分離装置（堰折装置）により前記各鋳造部品を分離させる為、砂が舞うと言った環境の中でこの分離作業を行わなくて済み、製造に携わる作業者の負担の低減を図れる。又、前記方案から前記各鋳造部品を分離させる作業を、前記分離装置により、前記流路が凝固した部分のうちで前記各鋳造部品との各連続部を同時に折断する事により行う。この様な作業は、前記方案を構成する各鋳造部品に力を、前記連結部が折れる方向に緩徐に加える事により行える。
【００１５】
この為、この様な作業の際に、前記各鋳造部品が変形する事を低減でき、この鋳造部品の品質を十分に確保できる。更に、本発明の場合には、前記ハンガーに前記方案を吊り上げる作業を、吊り上げ装置（吊り上げ負荷軽減装置）により、同じくこの方案を取り外す作業を、取り外し装置（取り外し負荷軽減装置）により、それぞれ行える。この為、前記方案のハンガーへの吊り上げ取り外し作業が、この作業を行う作業者に負担になる事を低減できる（自動化できれば作業者の負担は０になる）。又、前記ハンガーは、搬送装置により、循環式（環状、閉ループ状）のハンガーレールに沿って、前記吊り上げ装置と、前記ショットブラスト装置と、前記取り外し装置とを経由して、再びこの吊り上げ装置に搬送される為、前記ハンガーを移動させる作業に関しても、作業者に負担になる事を低減できる。
【００１６】
又、請求項４に記載した発明の様に、１個のハンガーに複数の方案を支持可能とすると共に、このハンガーをハンガーレールに回転を可能に支持すれば、ショットブラスト処理や搬送の効率化を図れると共に、前記ハンガーへの複数の方案の着脱（吊り上げ、取り外し）を迅速に行える。
又、請求項５に記載した発明の様に、方案に付着した砂の飛散を制限する為の仕切部材（例えば仕切板や仕切りカーテン）で仕切れば、この砂の飛散を低減でき、作業環境の向上を図れる。
又、請求項６に記載した発明の様に、ハンガーを、中心軸部と支持軸部と水平軸部と係止腕とを備えたものとすれば、このハンガーに方案を着脱し易く（吊り上げ、取り外し易く）でき、しかも、搬送時に、このハンガーからこの方案を脱落しにくくできる。
又、必要に応じて、前記水平軸部にアタッチメントを装着すれば、方案のうちで一部の鋳造部品や溶湯の流路が凝固した部分に欠損を生じた場合でも、この方案を前記ハンガーに吊るす事ができ、この方案のうちで正常に形成された鋳造部品を生かす（後工程に進ませる）事ができる。
【図面の簡単な説明】
【００１７】
【図１】本発明の実施の形態の１例を示す図で、（イ）は、方案を、（ロ）は、方案から各鋳造部品を分離させた状態を、それぞれ模式的に示している。
【図２】方案を吊るすハンガーを示す図で、（イ）は、（ハ）のＡ−Ａ断面図、（ロ）は、（ハ）のＢ矢視図、（ハ）は、（イ）のＣ矢視図。
【図３】ハンガーに方案を吊るした状態を示す図で、（イ）は、１個の方案を吊るした状態を、図２の（ロ）と同方向から見た図、（ロ）は、４個の方案を吊るした状態を、図２の（ハ）と同方向から見た図。
【図４】製造装置全体を上から見た図。
【図５】図４のＤ部に相当する拡大図。
【図６】図４のＥ矢視図。
【図７】図４のＦ矢視図。
【図８】図４のＧ−Ｇ断面に相当する図。
【図９】吊り上げ装置を示す、図８のＨ部に相当する図。
【図１０】図９の上から見た図。
【図１１】図４のＩ−Ｉ断面に相当する図。
【発明を実施するための形態】
【００１８】
図１〜１１は、本発明の実施の形態の１例を示している。本例のディスクブレーキ用鋳造部品の製造方法は、ロータにパッドを押し付ける事により制動力を付与するディスクブレーキの構成部品、具体的には、車輪と共に回転するロータを跨ぐ状態で配置されるキャリパや、このロータに隣接して車体に固定されるサポート等のディスクブレーキ用鋳造部品１、１を造るものである。本例の場合、図１の（Ａ）に示す様な、溶湯の流路が凝固した部分２（湯口３、湯道４、堰５、５、押湯６、６）により複数（例えば２〜１０個）の鋳造部品１、１が連結された状態の方案（鋳造成形品）７を、図示しない砂型により鋳造（形成）する。そして、この砂型から取り出した後、この方案７から前記各鋳造部品１、１を分離させる事なくこの方案７のままショットブラスト処理を、図２に示す様なハンガー８にこの方案７を吊るした状態で施す。
【００１９】
即ち、図３に示す様にハンガー８に（複数、例えば４個の）方案７、７を吊るした状態で、前記各鋳造部品１、１を含んで構成されるこの方案７、７の表面に、例えば鋼球等の研掃材（投射材、メディア）を衝突させるショットブラスト処理を施して、この方案７、７から砂を落とす。そして、この様なショットブラスト処理を施す事により、前記方案７、７から砂を落としたならば、前記流路が凝固した部分２（３〜６）のうちで前記各鋳造部品１、１との各連結部となる堰５、５を同時に折断し、図１の（Ｂ）に示す様に、前記方案７、７からこれら各鋳造部品１、１を分離させる（各鋳造部品１、１を除いたスクラップのみを残す）。尚、この方案７、７の形状（例えば、各鋳造部品１、１の位置関係や、これら各鋳造部品１、１同士を連結する湯道４、堰５等の大きさ、断面形状等）は、例えばショットブラスト処理を行うべく前記ハンガー８に吊るした状態でも、前記各鋳造部品１、１が連結したままの状態を維持でき、且つ、折断作業の際には各連結部（堰５、５）を容易に折断できる様に設計する。
【００２０】
上述の様な製造方法によりディスクブレーキ用鋳造部品１、１を造る為の、本例のディスクブレーキ用鋳造部品の製造装置は、図２〜３に示す様な前記ハンガー８と、図４、９、１０に示す様な吊り上げ負荷軽減装置９と、図４に示す様なショットブラスト装置１０と、同じく図４に示す様な取り外し負荷軽減装置１１と、同じく図４に示す様な堰折装置１２、１２と、同じく図４、７に示す様な搬送装置１３とを備える。
このうちのハンガー８は、前記方案７を吊るすもので、図２に示す様に、鉛直方向に配置される中心軸部１４と、この中心軸部１４の中間部の円周方向等間隔４個所位置に、径方向に突出する状態でそれぞれ設けた支持軸部１５、１５と、これら各支持軸部１５、１５の先端部に設けられて、前記中心軸部１４を中心とする仮想円の接線方向（これら各支持軸部１５、１５に対し直角方向）に伸びる水平軸部１６、１６と、これら各水平軸部１６、１６に設けられて、前記方案７のうちで前記各鋳造部品１、１から外れた部分、例えば湯道４や、この湯道４に設けた被係止部等を係止する係止腕１７ａ、１７ｂとを備える。
【００２１】
本例の場合には、図３の（ロ）に示す様に、この様なハンガー８の円周方向４個所位置に、方案７、７を支持（吊り下げ）可能としている。又、これら各方案７、７は、何れかの係止腕１７ａ、１７ｂに係止できる様に、例えば前記湯道４や、この湯道４に設ける被係止部等を設計する。例えば、前記各鋳造部品１、１がキャリパであれば係止腕１７ａ、１７ａに、同じくサポートであれば係止腕１７ｂ、１７ｂに、それぞれ係止できる様にする事ができる。又、これらキャリパやサポートの形状が異なる場合でも、前記各方案７、７のうちで前記係止腕１７ａ、１７ｂに係止する部分の形状を共通にする事で、何れの鋳造部品１、１を鋳造する場合にも、同じハンガー８を用いる事ができる。又、必要に応じて、例えば前記各水平軸部１６、１６にアタッチメントを装着する事で、例えば溶湯が十分に行渡らずに所望の方案７が得られない（例えば一部の鋳造部品１、１や流路が凝固した部分２に欠損が生じた）場合でも、所望の形状でない（欠損を生じた）この方案７を、前記ハンガー８に吊るせる様にする事もできる。この様にすれば、当該方案７のうちの一部の鋳造部品１が不良品であっても、残りの鋳造部品１が良品である限り、この鋳造部品１の砂落しをして、この残りの鋳造部品１を利用できる。
【００２２】
又、前記吊り上げ負荷軽減装置９は、鋳造用砂型から取り外された状態で、ベルトコンベア１９ａ、１９ｂを通じて搬送された方案７、７を、上述のハンガー８に、作業者の操作に応じて吊るす為のものである。即ち、この吊り上げ負荷軽減装置９は、図９〜１０に二点鎖線で示す範囲を移動可能なアーム２０を備えたもので、作業者は、このアーム２０の先端に、前記ベルトコンベア１９ｂの上に載置された方案７を係止してから、この方案７を吊り上げ、前記ハンガー８の係止腕１７ａ、１７ｂに係止する（吊り下げる）。又、前記ショットブラスト装置１０は、前記ハンガー８に吊るされた各方案７、７の表面に、鋼球等の研掃材（投射材、メディア）を衝突させ、これら各方案７、７の表面に付着した砂を落とすものである。
【００２３】
又、前記取り外し負荷軽減装置１１は、前記ショットブラスト装置１０により砂が落とされた方案７を、作業者の操作に応じて前記ハンガー８から外す為のものである。この取り外し負荷軽減装置１１も、前述した吊り上げ負荷軽減装置９と同様に、作業者のアーム２０ａの操作に基づいて方案７を動かすものである。作業者は、この取り外し負荷軽減装置１１により、前記ハンガー８から前記方案７を外すと共に、この方案７を次述する堰折装置１２、１２の支持台２３、２３に載置する。又、この堰折装置１２は、プレス装置のラムの下面に固定した押型と、同じく固定テーブルの上面に固定した受型とを備える。そして、これら押型の下面と受型の上面との間で、前記支持台２３、２３に載置された方案７のうち、前記各鋳造部品１、１の両側に存在する、前記各堰５、５部分に折り曲げ方向の力を与える。そして、前記方案７のうちで前記各鋳造部品１、１との連続部（堰５、５）を同時に折断し、図１の（イ）に示した方案７からこれら各鋳造部品１、１を分離し、同図の（ロ）に示したスクラップを、前記支持台２３、２３上に残す。分離した各鋳造部品１、１は、後の加工工程に送り、スクラップは再利用する為の工程に送る。更に、前記搬送装置１３は、循環式（環状、閉ループ状）のハンガーレール１８に沿って複数のハンガー８、８を、前記吊り上げ負荷軽減装置９と、前記ショットブラスト装置１０と、前記取り外し負荷軽減装置１１とを経由して、再びこの吊り上げ負荷軽減装置９に搬送するものである。
【００２４】
又、本例の場合には、前記各ハンガー８、８を前記ハンガーレール１８に、鉛直方向の軸を中心とする回転を可能に支持している。又、これと共に、前記ハンガーレール１８のうちで、前記吊り上げ負荷軽減装置９及び取り外し負荷軽減装置１１に対応する位置にそれぞれ、前記ハンガー８、８を鉛直方向の軸を中心に回転させると共に、所望の位置でこのハンガー８の回転を止める事のできる回転駆動装置（ロータリアクチュエータ）２２、２２を設けている。この回転駆動装置２２、２２は、例えばチェンとモータとを備えたもので、図８に示す様に、前記ハンガー８よりも上側に設けたスプロケット２４にチェンを係合させた状態で、作業者の操作に応じてモータを駆動する事により、前記ハンガー８を回転させる。
【００２５】
例えば前記吊り上げ負荷軽減装置９の作業者は、例えばハンガー８の正面に、前記ベルトコンベア１９ｂ上の方案７を取り上げて吊るしたならば、前記回転駆動装置２２によりこのハンガー８を１８０度回転させる。そして、この様に１８０度回転させた状態でこのハンガー８の正面に、同じく方案７を吊るす。次いで、更に９０度回転させ、同じくその正面に方案７を吊るすと共に、同じく１８０度回転させ、同じくその正面に方案７を吊るす。この様な作業により、前記ハンガー８の円周方向４箇所位置に前記方案７、７を吊るす。又、例えば、前記取り外し負荷軽減装置１１の作業者は、前記ハンガー８の正面に吊るされた方案７を取り外し、前記堰折装置１２の支持台２３に載置したならば、前記回転駆動装置２２によりこのハンガー８を１８０度回転させる。そして、この様に１８０度回転させた状態でこのハンガー８の正面に吊るされた方案７を、このハンガー８から取り外すと共に、同じく前記堰折装置１２の支持台２３に載置する。次いで、９０度、更に１８０度回転させ、同じ作業を繰り返す事で、前記ハンガー８の円周方向４箇所位置に吊るされた前記方案７、７を取り外す。
【００２６】
本例のディスクブレーキ用鋳造部品の製造装置の場合には、前記ベルトコンベア１９ａ、１９ｂを通じて搬送された方案７、７を、上述の様に吊り上げ負荷軽減装置９により前記ハンガー８の４個所位置に、作業者の操作に応じて吊るす。そして、この様にハンガー８に吊るされた各方案７、７は、前記搬送装置１３の駆動に基づき前記ハンガーレール１８に沿って前記ショットブラスト装置１０に送られる。そして、このショットブラスト装置１０により、前記ハンガー８に吊るされた各方案７、７の表面から砂が落とされる。次いで、この様に砂が落とされた各方案７、７は、同じく前記搬送装置１３の駆動に基づき前記ハンガーレール１８に沿って、前記取り外し負荷軽減装置１１の位置まで送られる。そして、この取り外し負荷軽減装置１１により前記各方案７、７を、前述の様に作業者の操作に応じて前記ハンガー８の４個所位置から取り外すと共に、前記堰折装置１２の支持台２３に載置する。この堰折装置１２は、この様に支持台２３に載置された方案７の所望部分に、上下方向に関して互いに逆向きの力を与え、この方案７のうちで前記各鋳造部品１、１との連続部（堰５、５）を同時に折断し、この方案７からこれら各鋳造部品１、１を分離させる｛方案７を、図１の（イ）の状態から、同図の（ロ）の状態にする｝。
【００２７】
上述の様に構成する本例の場合には、キャリパやサポート等の鋳造部品１、１が、鋳造後の工程で変形する事を低減でき、この鋳造部品１、１の品質を十分に確保できる。又、これと共に、この鋳造部品１、１の表面に付着した砂を落とす作業の効率化、安定化を図れ、更には、この鋳造部品１、１の製造に携わる作業者の負担の低減も図れる。
即ち、本例の場合は、前記ショットブラスト装置１０によりショットブラスト処理を、前記方案７から各鋳造部品１、１を分離させる事なく、この方案７をハンガー８に吊るした状態で行う為、この方案７に研掃材（投射材、メディア）を効率良く衝突させる事ができる。この為、前記各鋳造部品１、１を含んで構成される方案７に付着した砂を、安定して効率良く（ムラなく）落とせる。又、この様に方案７のままショットブラスト処理を施してから、前記堰折装置１２により前記各鋳造部品１、１を分離させる為、砂が舞うと言った環境の中でこの分離作業を行わなくて済み、製造に携わる作業者の負担の低減を図れる。又、前記方案７から前記各鋳造部品１、１を分離させる作業を、前記堰折装置１２により、前記流路が凝固した部分２（３〜６）のうちで前記各鋳造部品１、１との各連続部（堰５、５）を同時に折断する事により行う。この様な作業は、前記方案７を構成する各鋳造部品１、１に力を、前記連結部（堰５、５）が折れる方向に緩徐に加える事により行える。
【００２８】
この為、この様な作業の際に、前記各鋳造部品１、１が変形する事を低減でき、この鋳造部品１、１の品質を十分に確保できる。更に、本例の場合には、前記ハンガー８に前記方案７を吊り上げる作業を前記吊り上げ負荷軽減装置９により、同じくこの方案７を取り外す作業を取り外し負荷軽減装置１１により、それぞれ行える。この為、前記方案７のハンガー８への吊り上げ、取り外し作業が、これらの作業を行う作業者に負担になる事を低減できる。又、前記ハンガー８は、前記搬送装置１３により、循環式のハンガーレール１８に沿って、前記吊り上げ負荷軽減装置９と、前記ショットブラスト装置１０と、前記取り外し負荷軽減装置１１とを経由して、再びこの吊り上げ負荷軽減装置９に搬送される為、前記ハンガー８を移動させる作業に関しても、作業者に負担になる事を低減できる。
【００２９】
又、本例の場合には、１個のハンガー８に４個の方案７、７を支持可能とすると共に、このハンガー８をハンガーレール１８に回転を可能に支持している為、ショットブラスト処理や搬送の効率化を図れると共に、前記ハンガー８への複数の方案７、７の着脱（吊り上げ、取り外し）を迅速に行える。又、本例の場合には、前述した様に、ハンガー８を、中心軸部１４と支持軸部１５、１５と水平軸部１６、１６と係止腕１７ａ、１７ｂとを備えたものとしている為、このハンガー８に前記各方案７、７を着脱し易く（吊り上げ、取り外し易く）でき、しかも、搬送時に、このハンガー８からこれら各方案７、７を脱落しにくくできる。又、前記水平軸部１６にアタッチメントを装着する事ができる為、前記方案７のうちで一部の鋳造部品１、１や流路が凝固した部分２（３〜６）に欠損が生じた場合でも、この方案７を前記ハンガー８に吊るす事ができ、この方案７のうちで正常に形成された鋳造部品１、１を生かす（後工程に進ませる）事ができる。
【００３０】
又、本例の場合には、ハンガー８、８の進行方向に関し、前記吊り上げ負荷軽減装置９よりも先からショットブラスト装置１０の出口までを、前記方案７に付着した砂の飛散を制限する為に、仕切板や仕切りカーテン等により構成される仕切部材２５により仕切っている。この為、この砂の飛散を低減でき、作業環境の向上を図れる。
【産業上の利用可能性】
【００３１】
上述した実施の形態の１例は、鋳造部品としてディスクブレーキ用鋳造部品（例えばキャリパやサポート）の場合を示したが、この様なディスクブレーキ用鋳造部品の他、各種の鋳造部品、例えば各種機械装置等を構成する為の鋳造部品に本発明を適用する事もできる。
【符号の説明】
【００３２】
１    鋳造部品
２    流路が凝固した部分
３    湯口
４    湯道
５    堰
６    押湯
７    方案（鋳造成形品）
８    ハンガー
９    吊り上げ負荷軽減装置
１０    ショットブラスト装置
１１    取り外し負荷軽減装置
１２    堰折装置
１３    搬送装置
１４    中心軸部
１５    支持軸部
１６    水平軸部
１７ａ、１７ｂ  係止腕
１８    ハンガーレール
１９ａ、１９ｂ  ベルトコンベア
２０、２０ａ  アーム
２２    回転駆動装置
２３    支持台
２４    スプロケット
２５    仕切部材
【図１】
2010240685.tif 000003
【図２】
2010240685.tif 000004
【図３】
2010240685.tif 000005
【図４】
2010240685.tif 000006
【図５】
2010240685.tif 000007
【図６】
2010240685.tif 000008
【図７】
2010240685.tif 000009
【図８】
2010240685.tif 000010
【図９】
2010240685.tif 000011
【図１０】
2010240685.tif 000012
【図１１】
2010240685.tif 000013